(57)【特許請求の範囲】
【請求項１】
巻芯の外周面に、粘着面が外側を向くようにテープが巻回されるとともに、
前記巻芯の外周面が、前記テープの幅方向の中央部において、前記巻芯の径方向に最も突出した山型形状に形成されていることを特徴とするコーナー部用粘着テープ。
【請求項２】
前記山型形状が、逆Ｖ字状であることを特徴とする請求項１記載のコーナー部用粘着テープ。
【請求項３】
巻芯の外周面に、粘着面が外側を向くようにテープが巻回されるとともに、
前記巻芯の外周面が、前記テープの幅方向の中央部において、前記巻芯の径方向に最も陥没した谷型形状に形成されていることを特徴とするコーナー部用粘着テープ。
【請求項４】
前記谷型形状が、略Ｖ字状であることを特徴とする請求項２記載のコーナー部用粘着テープ。
【発明の詳細な説明】
【技術分野】
【０００１】
本発明は、出隅や入隅などのコーナー部に貼り付けるための粘着テープに関するものである。
【背景技術】
【０００２】
引越の作業時など、搬入・搬出する荷物や建物等が傷つかないように、エレベータや建物の壁・床等を、養生材（シートやパネル等）で覆って、粘着テープで貼り付けて作業が行われる。このような養生材を貼り付ける際、出隅や入隅などのコーナー部では、手でコーナー部に沿うように押さえながら作業するため、作業効率が悪かったり、テープが捩れて仕上がりがよくなかったりする不都合があった。コーナー部にテープを貼り付けるための手法として、例えば、下記特許文献１に記載のコーナー部テープ貼着具がある。当該特許文献１によれば、テープ巻体の一部に抱持部を抱持させ、繰り出したテープをＶ字状のテープ押え部で押さえながらコーナー部にテープを貼着することで、コーナー部にテープを密着させることが開示されている。また、下記特許文献２には、粘着面が、粘着面を外側にして幅方向に二ツ折りされ、その一半部の粘着面に離型紙が定着されてロール巻きされた入隅用粘着テープが開示されている。
【先行技術文献】
【特許文献】
【０００３】
【特許文献１】特開平９−１３６５３号公報
【特許文献２】特開２００２−２３５０５０号公報
【発明の概要】
【発明が解決しようとする課題】
【０００４】
しかしながら、前記特許文献１に記載の技術では、テープの引出方向に延びたテープ押え部でテープを押えながら貼り付けるため、テープがテープ押え部からずれないようにしなければならない。また、前記テープ押え部を抱持部によってロール状テープ巻体に取り付けなければならないという手間がある。また、前記特許文献２に記載の技術では、剥き出しの粘着面を壁面等に粘着してから、離型紙側を起こし、該離型紙を剥離して粘着面を粘着するため作業に手間がかかる。
【０００５】
本発明は、以上のような点に着目したもので、簡単な構成で、入隅や出隅のようなコーナー部に密着させることができ、作業効率の向上を図ることができるコーナー部用粘着テープを提供することを、その目的とする。
【課題を解決するための手段】
【０００６】
本発明のコーナー部用粘着テープは、巻芯の外周面に、粘着面が外側を向くようにテープが巻回されるとともに、前記巻芯の外周面が、前記テープの幅方向の中央部において、前記巻芯の径方向に最も突出した山型形状に形成されていることを特徴とする。主要な形態の一つは、前記山型形状が、逆Ｖ字状であることを特徴とする。
【０００７】
他の発明のコーナー部用粘着テープは、巻芯の外周面に、粘着面が外側を向くようにテープが巻回されるとともに、前記巻芯の外周面が、前記テープの幅方向の中央部において、前記巻芯の径方向に最も陥没した谷型形状に形成されていることを特徴とする。主要な形態の一つは、前記谷型形状が、略Ｖ字状であることを特徴とする。本発明の前記及び他の目的，特徴，利点は、以下の詳細な説明及び添付図面から明瞭になろう。
【発明の効果】
【０００８】
本発明によれば、巻芯の外周面に、粘着面が外側を向くようにテープが巻回されるとともに、前記巻芯の外周面が、前記テープの幅方向の略中央部において、前記巻芯の径方向に最も突出した山型形状，あるいは、前記径方向に最も陥没した谷型形状に形成されることとした。このため、前記山型形状や谷型形状の部分を、コーナー部に合わせてロール状の粘着テープを動かすことで、簡単な構成でありながら、入隅や出隅のようなコーナー部にテープを密着させることができ、作業効率の向上を図ることができる。
【図面の簡単な説明】
【０００９】
【図１】本発明の実施例１を示す図であり、(A)は入隅への本実施例の粘着テープの貼り付けの様子を示す斜視図，(B)は前記粘着テープの断面図，(C)は平面図，(D)は前記(A)を矢印Ｆ１方向から見た図，(E)は前記(D)の一部拡大図である。
【図２】本発明の実施例２を示す図であり、（A）は一部破断して示す斜視図，(B)は断面図，(C)は出隅への粘着テープの貼り付けの様子を示す図である。
【発明を実施するための形態】
【００１０】
以下、本発明を実施するための最良の形態を、実施例に基づいて詳細に説明する。
【実施例１】
【００１１】
最初に、図１を参照しながら本発明の実施例１を説明する。本実施例は、本発明を入隅用の粘着テープに適用した例である。図１(A)は本実施例の粘着テープの入隅への貼り付けの様子を示す斜視図，(B)は前記粘着テープの断面図，(C)は平面図，(D)は前記(A)を矢印Ｆ１方向から見た図，(E)は前記(D)の一部拡大図である。図１(A)及び(D)に示すように、本実施例は、例えば、壁３２を覆う養生材であるパネル３４，３６の交わる部分（入隅３０）に貼り付けられるテープである。
【００１２】
図１に示すように、本実施例の粘着テープ１０は、巻芯１２の外周面１６に、一方の主面に粘着面２２が形成されたテープ２０を、前記粘着面２２が外側を向くように巻回したロール状のものである。前記巻芯１２の中央は中空部１４となっている。また、本実施例では、前記巻芯１２の外周面１６は、前記テープ２０の幅方向の略中央部において、前記巻芯１２の径方向に最も突出した逆Ｖ字状の山型形状に形成されている。本実施例では、図１(A)及び(D)に示すように、前記パネル３４，３６が約９０°で交わっているため、前記外周面１６を形成するテーパ面１６Ａ，１６Ｂがなす角度も約９０°に設定されている。なお、テーパ面１６Ａ，１６Ｂのなす角度は、９０°より若干小さくてもよい。前記巻芯１２は、例えば、厚紙やプラスチックなどが用いられ、前記テープ２０としては、紙や布などの公知の素材が用いられる。また、粘着面２２に用いられる粘着剤は、養生材の貼り付けという用途上、粘着力が比較的弱いものが用いられる。
【００１３】
前記外周面１６の山型形状が、前記入隅３０に合うようにして、テープ２０を引き出しつつ、ロール状の粘着テープ１０自体を押し付けるようにすると、入隅３０の直交面に密着するように、テープ２０が貼り付けられる。このように、本実施例によれば、簡単な構成でありながら、入隅３０の直交面にテープ２０を密着させることができ、作業効率の向上を図ることができる。
【実施例２】
【００１４】
次に、図２を参照しながら本発明の実施例２を説明する。図２(A)は、本実施例を一部破断して示す斜視図，図２(B)は本実施例の断面図，図２(C)は、出隅への粘着テープの貼り付けの様子を示す平面図である。なお、上述した実施例１と同一又は対応する構成要素には、同一の符号を用いることとする。図２に示すように、本実施例の粘着テープ５０は、巻芯５２の外周面５６に、一方の主面に粘着面６２が形成されたテープ６０を、前記粘着面６２が外側を向くように巻回したものである。前記巻芯５２の中央は中空部５４となっている。また、本実施例では、前記巻芯５２の外周面５６は、前記テープ６０の幅方向の略中央部において、径方向に最も陥没した略Ｖ字の谷型形状に形成されている。本実施例では、図２(C)に示すように、約９０°の出隅４０に沿うように、前記外周面５６は、テーパ面５６Ａとテーパ面５６Ｂの交わる角度が約９０°に設定されている。なお、前記テーパ面５６Ａ，５６Ｂのなす角度は、９０°より若干大きくてもよい。各部を形成する素材は、前記実施例１と同様である。
【００１５】
前記外周面５６の窪みが前記出隅４０に合うようにして、テープ６０を引き出しながら、ロール状の粘着テープ５０自体を押し付けるようにすると、出隅４０の直交面に密着するように、テープ６０が貼り付けられる。このように、本実施例によれば、簡単な構成でありながら、出隅４０の直交面にテープ６０を密着させることができ、作業効率の向上を図ることができる。
【００１６】
なお、本発明は、上述した実施例に限定されるものではなく、本発明の要旨を逸脱しない範囲内において種々変更を加え得ることができる。例えば、以下のものも含まれる。
(1)前記実施例で示した形状、寸法は一例であり、必要に応じて適宜変更してよい。例えば、前記実施例では、コーナー面が略直交した入隅３０及び出隅４０を示したが、これも一例であり、コーナー面の交わる角度は、適宜変更可能であり、粘着テープ１０，５０の山型や谷型の角度も、コーナー面の交わる角度に応じて適宜変更してよい。更に、山型や谷型の形状が曲面であってもよい。
(2)前記実施例で示した材料も一例であり、同様の効果を奏する範囲内において、公知の各種の材料を用いてよい。
(3)前記実施例では、引越作業における養生材の貼り付け等に用いるテープに本発明を適用することとしたが、これも一例であり、建築現場等における養生材の貼り付け等に用いてもよい。また、その他各種のテープに適用してよい。
【産業上の利用可能性】
【００１７】
本発明によれば、巻芯の外周面に、粘着面が外側を向くようにテープが巻回されるとともに、前記巻芯の外周面が、前記テープの幅方向の略中央部において、前記巻芯の径方向に最も突出した山型形状，あるいは、前記径方向に最も陥没した谷型形状に形成されることとした。そして、前記山型形状や谷型形状の部分をコーナー部に合わせて、ロール状の粘着テープを動かすことで、簡単な構成でありながら、入隅や出隅のようなコーナー部にテープを密着させることができるため、コーナー部用の粘着テープの用途に適用できる。特に、引越作業や工事現場で用いられる養生材を貼り付けるためのテープの用途に好適である。
【符号の説明】
【００１８】
１０：粘着テープ
１２：巻芯
１４：中空部
１６：外周面
１６Ａ，１６Ｂ：テーパ面
２０：テープ
２２：粘着面
３０：入隅
３２：壁
３４，３６：パネル
４０：出隅
５０：粘着テープ
５２：巻芯
５４：中空部
５６：外周面
５６Ａ，５６Ｂ：テーパ面
６０：テープ
６２：粘着面
【図１】
0005997306.tif 000002
【図２】
0005997306.tif 000003